(57)【特許請求の範囲】
【請求項１】
断面コ字状又はＵ字状の挟持金具と、挟持金具に装着される楔とからなり、挟持金具は相対向する一対の支持片と、各支持片の両端上部同士を結合する連結片と、各支持片の上部に下方に向けて形成した溝と、各支持片の胴部に相対向して形成した楔挿入孔と、各連結片の内側に上記溝方向に向けて突出させた一対のフックとを備え、各支持片間にパイプを挿入し、上記溝内にパイプと直交する蟻溝フレームを挿入し、楔挿入孔に楔を挿入させながらパイプとフックとで蟻溝フレームを挟持させるジョイントにおいて、各連結片の中間部を下方に向けて切り起してパイプに対向する滑り止め部片を形成し、各支持片の中間に溝方向に向けて起立する弯曲したパイプ抱持片を設けていることを特徴とするジョイント。
【請求項２】
滑り止め部片が各連結片に中間部外端又は内端部位に切り起して形成されている請求項１のジョイント。
【請求項３】
滑り止め部片が各連結片の中間部における水平面部を切り起して形成させている請求項１のジョイント。
【請求項４】
断面コ字状又はＵ字状の挟持金具と、挟持金具に装着される楔とからなり、挟持金具は相対向する一対の支持片と、各支持片の両端上部同士を結合する連結片と、各支持片の上部に下方に向けて形成した溝と、各支持片の胴部に相対向して形成した楔挿入孔と、各連結片の内側に上記溝方向に向けて突出させた一対のフックとを備え、各支持片間にパイプを挿入し、上記溝内にパイプと直交する蟻溝フレームを挿入し、楔挿入孔に楔を挿入させながらパイプとフックとで蟻溝フレームを挟持させるジョイントにおいて、各連結片の中間部における水平面部を下方に折り曲げて断面ややコ字状又はＵ字状の滑り止め部片をパイプに対向して設け、各支持片の中間に溝方向に向けて起立する弯曲したパイプ抱持片を設けていることを特徴とするジョイント。
【発明の詳細な説明】
【０００１】
【発明の属する技術分野】
本発明は、ビニールハウス，パイプハウスと称する温室において、透明な合成樹脂シートを定着させる蟻溝フレームを骨組たるパイプに直交して横方向に連結させるのに使用するジョイントに関する。
【０００２】
【従来の技術】
一般に、パイプハウスは、地上に多数のアーチ状パイプを起立し、このアーチ状パイプに対して横方向にジョイントを介して断面蟻溝状の蟻溝フレームを結合し、アーチパイプ上に展張したビニール等の透明な合成樹脂シートをこの蟻溝フレーム内に他の弾性な係止線状を介して定着させ、上記の透明なシートより太陽光線を取り入れて植物等の育成を図っている。
【０００３】
上記のジョイントとしては、例えば、実開昭５９−１１３０６０号公報又は意匠登録第７０４２６４号公報に開示されたものが多く使用されている。
【０００４】
上記のジョイントは、断面コ字状の挟持金具と、挟持金具に装着された楔と、からなり、挟持金具は、相対向する一対の支持片と、各支持片の両端上部同志を結合する連結片と、各支持片の上部に下方向に向けて形成した断面コ字状の溝と、各支持片の胴部に相対向して形成した楔挿入孔と、を備え、各連結片の内側には上記溝方向に突出させた相対向するフックを設けたものである。
【０００５】
そして、アーチ状パイプに各支持片間に開口部を介して挟持金具を横方向から挿入し、次に、パイプの背部より各楔挿入孔に楔を挿入して仮止めし、次いで、溝内に蟻溝フレームを挿入した後に楔を更に打ち込んで本締めを行なうと、楔によって挟持金具がパイプ側に引き寄せられ、その結果、パイプとフックとて蟻溝フレームを挟持し、ジョイントを介して蟻溝フレームをパイプ結合させるものである。
【０００６】
しかしながら、上記ジョイントで蟻溝フレームを固定しておくとき、ジョイントには下方に向けて蟻溝フレームと弾性係止線状等の重みによる荷重が作用しており、風圧等によって振動が発生するとジョイントがパイプに沿って下方に若干ずれたり、落下するおそれがあり、その結果、ハウスの骨組全体がゆがみ、あるいは展張したシートがたるんだり、破損するおそれがあった。
【０００７】
そこで、実用新案登録第３０２０８０３号公報に示すように下方にずれたり、落下するのを防止できるジョイントが開発されている。
【０００８】
このジョイントＡは、図１０，図１１に示すように、断面コ字状の挟持金具５と、挟持金具５に装着された楔６とからなり、挟持金具５は相対向する一対の支持片７，８と、各支持片７，８の両端上部同志を結合する連結片９，１０の上部に下方に向けて形成した断面コ字状の溝１１と、各支持片７，８の胴部に相対向して形成した楔挿入孔１２と、を備え、各連結片９，１０の内側には上記溝１１方向に突出させた相対向するフック１３を設け、各支持片７，８間の開口部を介して挟持金具５をパイプ１に挿入し、前記溝１１内にパイプ１と直交する蟻溝フレーム２を挿入し、パイプ１の下方から前記各楔挿入孔１２に楔６を挿入させ、パイプ１とフック１３とで蟻溝フレーム２を挟持させるジョイントであって更に前記各連結片９，１０の外端に下方に向けて滑り止め部片１４を設けたものである。
【０００９】
【発明が解決しようとする課題】
上記のジョイントは、滑り止め部片１４がパイプ１に係合しているため、ジョイント自体がパイプ１に沿ってずれたり、ずれ落ちたりするのが防止され、機能上すぐれているが、更に次のような不具合が発生する場合があり、その改善が望まれている。
【００１０】
第１に、一対の連結片９，１０は、ジョイント全体の強度の関係から極端に細くできず、一定の巾を備えている。
【００１１】
この為、この連結片９，１０の剛性が強く、図１１に示すように、楔６を矢印Ａ方向に打ち込んだ時一対の支持片７，８が矢印Ｂ，Ｂ方向に曲がり、その結果連結片９，１０が蟻溝フレーム２からはずれたり、ずれたりし、更に、ジョイント全体が変形する場合もある。
【００１２】
第２に、パイプ１がパイプハウスのアーチパイプとして使用されている時、図１１に示すように、このアーチパイプの屈曲部分は、断面が点線Ｃで示すように若干楕円状となり、接触不良を起し、ジョイントがずれてガタが発生するおそれがある。
【００１３】
そこで、これを防止するために、滑り止め部片１４を長くしたり、楔６の巾を高くすれば良いが、この場合には、逆にパイプ１が真円状態の部位では締付力が強くなりすぎ、楔の打ち込みが困難になったり、パイプ１を変形させるおそれがある。
【００１４】
併せて、ジョイントや楔の材料が嵩み、重量も重くなり、経済的にも不利となる。
【００１５】
そこで、本発明の目的は、楔の打ち込み時に一対の支持片が互いに近寄る内側方向に曲がるようにしてフックが蟻溝フレームからはずれないように強度アップが図れ、併せてパイプが楕円状となっている部位でも弛むことなくしっかりと締結できるジョイントを提供することである。
【００１６】
【課題を解決する為の手段】
断面コ字状又はＵ字状の挟持金具と、挟持金具に装着される楔とからなり、挟持金具は相対向する一対の支持片と、各支持片の両端上部同士を結合する連結片と、各支持片の上部に下方に向けて形成した溝と、各支持片の胴部に相対向して形成した楔挿入孔と、各連結片の内側に上記溝方向に向けて突出させた一対のフックとを備え、各支持片間にパイプを挿入し、上記溝内にパイプと直交する蟻溝フレームを挿入し、楔挿入孔に楔を挿入させながらパイプとフックとで蟻溝フレームを挟持させるジョイントにおいて、各連結片の中間部を下方に向けて切り起してパイプに対向する滑り止め部片を形成し、各支持片の中間に溝方向に向けて起立する弯曲したパイプ抱持片を設けていることを特徴とするものである。
ジョイント。
【００１７】
この場合、滑り止め部片が各連結片の中間部外端又は内端部位に切り起して形成されていても良く、あるいは滑り止め部片が各連結片の中間部における水平面部を切り起して形成されていても良い。
【００１８】
同じく、断面コ字状又はＵ字状の挟持金具と、挟持金具に装着される楔とからなり、挟持金具は相対向する一対の支持片と、各支持片の両端上部同士を結合する連結片と、各支持片の上部に下方に向けて形成した溝と、各支持片の胴部に相対向して形成した楔挿入孔と、各連結片の内側に上記溝方向に向けて突出させた一対のフックとを備え、各支持片間にパイプを挿入し、上記溝内にパイプと直交する蟻溝フレームを挿入し、楔挿入孔に楔を挿入させながらパイプとフックとで蟻溝フレームを挟持させるジョイントにおいて、各連結片の中間部における水平面部を下方に折り曲げて断面ややコ字状又はＵ字状の滑り止め部片をパイプに対向して設け、各支持片の中間に溝方向に向けて起立する弯曲したパイプ抱持片を設けていることを特徴とするものである。
【００２０】
【発明の実施の形態】
以下、本発明の実施の形態を図１乃至図９にもとづいて説明するが、図１乃至図９に示す各ジョイントの基本構造は、図１０，図１１に示す従来のものと同じ構造である。
【００２１】
即ち、各実施の形態に係るジョイントＡは、断面コ字状又はＵ字状の挟持金具５と、挟持金具５に装着される楔６とからなり、挟持金具５は、相対向する一対の支持片７，８と、各支持片７，８の両端上部同士を結合する連結片９，１０と、各支持片７，８の上部に下方に向けて形成した溝１１と、各支持片７，８の胴部に相対向して形成した楔挿入孔１２と、各連結片９，１０の内側に上記溝１１方向に向けて突出された一対のフック１３，１３とを備え、各支持片７，８間にパイプ１を挿入し、上記溝１１内にパイプ１と直交する蟻溝フレーム２を挿入し、楔挿入孔１２に楔６を挿入させながらパイプ１とフック１３とで蟻溝フレーム２を挟持させるものである。
【００２２】
そして、図１乃至図６及び図８の一実施の形態に係るジョイントＡでは、各連結片９，１０の中間部を下方に向けて切り起してパイプ１に対向する滑り止め部片２４、２４ａを形成したことを特徴とする。
【００２３】
即ち、図１および図８の実施の形態に係るジョイントＡでは、それぞれ滑り止め部片２４，２４ａが各連結片９，１０の中間部外端又は内端部位に切り起して形成されている。
【００２４】
同じく、図９に示す他の実施の形態では滑り止め部片２４ｂが各連結片９，１０の中間部における水平面部１０ａを切り起して形成されているものである。
【００２５】
更に、図７に示す他の実施の形態に係るジョイントＡでは各連結片９，１０の中間部における水平面部９ａ，１０ａを下方に折り曲げて断面ややコ字状又はＵ字状の滑り止め部片２４ｃ，２４ｃをパイプ１に対向して設けたことを特徴とする。
【００２６】
上記各図の実施の形態に係るジョイントＡでは、各支持片７，８の中間に溝１１方向に向けて起立する彎曲したパイプ抱持片１５，１５を設けている。
【００２７】
以下更に詳しく説明すると、図１乃至図６の実施の形態に係るジョイントＡでは、連結片９，１０の中間部においてフック１３側の内端部位を切り起して下方に折り曲げ、パイプ１に対向する滑り止め部片２４を形成している。
【００２８】
この為、連結片９，１０は、滑り止め部片２４に対応する部位の巾が他の部位より狭くなり剛性が小さくなる。
【００２９】
従って、図４に示すように各支持片７，８間に楔６を矢印Ｙ方向に向けて打ち込むと、一方の支持片７が剛性の弱い部位ａを支点にして矢印Ｘ１方向に変位し、更に、楔６を打ち込んでくると反作用で他方の支持片８も剛性の弱い部位ｂを支点にして矢印Ｘ２方向に変位し、一対の支持片７，８は互いに近寄る方向に曲がる。
【００３０】
これにより、フック１３は、締り勝手となり、パイプ抱持部１５もパイプ１により強く圧接され、ジョイント全体の強度がアップする。
【００３１】
滑り止め部片２４は、楔６と協働してパイプ１を挟持し、図１においてジョイントＡがパイプ１に沿って下方に落下するのが防止される。
【００３２】
更に、パイプ抱持部１５は、パイプ１方向に向けて彎曲しており、その先端がパイプ１に当接していることにより両側からパイプ１を抱持し、ジョイントＡの締結力が向上し、強度アップを図っている。
【００３３】
特に、パイプ１がアーチ状に彎曲している部位では若干パイプ１の断面形状が楕円状となり、滑り止め片２４との接触が弱くなる場合があるが、この場合には逆にパイプ抱持部１５との接触が強くなり、パイプ抱持部１５が滑り止め作用を強化することになる。
【００３４】
図８は、他の実施の形態に係り、これは、図１の場合と実質的に同じであり、滑り止め部片２４ａは連結片９，１０のフック１３と反対側の外端側を下方に向けて切り起したものである。
【００３５】
この場合にも滑り止め部片２４ａを形成した部位の巾が狭くなり剛性が弱くなり楔６を打ち込んだ時、支持片７，８が剛性の弱い部位ａ，ｂを支点にして互いに近寄る内側方向に曲がり、上記と同じくジョイントＡの締付力を強化する。
【００３６】
図７は、本発明の他の実施形態にかかり、これはすでに述べたように、連結片９，１０の中間部における水平面部９ａ，１０ａを下方に向けて折り曲げて滑り止め面部２４ｃを形成したものであるが、この場合にも楔６を打ち込んだ時、支持片７，８は、連結片９，１０における屈曲した部位ａ１，ｂ１を支点にして矢印Ｘ１，Ｘ２方向に曲がり、上記と同じく締付力を強化、ジョイントＡの強度を向上させる。
【００３７】
同じく、図９の実施の形態では、連結片９，１０の中間部における水平面部を切り起して滑り止め部片２４ｂを形成しているので、この部分の周辺の剛性が弱くなり、楔６を打ち込んだ時、一対の支持片７，８は、部位ａ，ｂを支点にして内側に曲がり上記と同じくジョイントＡの強度を向上させる。
【００３８】
【発明の効果】
本発明によれば、次の効果が得られる。
【００３９】
１）各請求項の発明によれば、連結片の中間部を切り起し又は折り曲げて下方に向く滑り止め部片を形成しているので、この滑り止め部片に対応する連結片の部位の剛性が他の部位の剛性より弱くなり、その結果楔を支持片間に打ち込んだ時滑り止め部片の両側の部位を支点にして各支持片が互いに近寄る方向たる内側に撓み、フックの位置が変化せずジョイント全体の締付力を強化し、強度アップが図れる。
【００４０】
２）同じく、支持片に彎曲したパイプ抱持部を起立して設けているので、このパイプ抱持部がパイプに接触して両側から抱持するのでジョイントのガタの発生が防止され、ジョイント全体の締付力が強化され、強度アップが図れる。
【００４１】
しかもパイプがアーチ状に屈曲する部位で断面が楕円状になった場合であってもパイプ抱持部がパイプに当接し、パイプに対する滑り止め部片のフリクションでジョイントがパイプに沿ってずれたり、落下するのが防止される
【図面の簡単な説明】
【図１】本発明に係るジョイントの斜視図である。
【図２】図１の分解斜視図である。
【図３】図１の平面図である。
【図４】図１の横断平面図である。
【図５】図１の縦断側面図である。
【図６】図１の縦断正面図である。
【図７】他の実施の形態に係るジョイントの斜視図である。
【図８】他の実施の形態に係るジョイントの部分斜視図である。
【図９】他の実施の形態に係るジョイントの部分斜視図である。
【図１０】従来のジョイントの斜視図である。
【図１１】図１０の横断正面図である。
【符号の説明】
１  パイプ
２  蟻溝フレーム
５  挟持金具
６  楔
７，８  支持片
９，１０  連結片
１１  溝
１２  楔挿入孔
１３，１３  フック
２４，２４ａ，２４ｂ，２４ｃ  滑り止め部片
【図１】
0004125519.tif 000002
【図２】
0004125519.tif 000003
【図３】
0004125519.tif 000004
【図４】
0004125519.tif 000005
【図５】
0004125519.tif 000006
【図６】
0004125519.tif 000007
【図７】
0004125519.tif 000008
【図８】
0004125519.tif 000009
【図９】
0004125519.tif 000010
【図１０】
0004125519.tif 000011
【図１１】
0004125519.tif 000012